(57)【要約】【課題】家庭、病院などの部屋における消臭機能または抗菌機能を有し、部屋における消臭と装飾のバランスを整えながら使用することができる消臭・脱臭器具を提供する。【解決手段】ベチバーの根である消臭性および脱臭性の材料を収納できる容器において、その容器の周囲に空気流通可能な貫通孔を形成し、当該デザイン性を持たせた容器の内部にべチバーの根を束ねたもの、あるいは破砕されたベチバーの根を不織布、または織物に包装されているものを収納して、当該容器は、１０ミクロンから３０ｍｍの多数の貫通孔を有して、意匠性の形状にして、材質として木材、樹脂、織布などであるベチバー使用の消臭・脱臭器具である。【選択図】 図１
0003129157.tif 000002
【実用新案登録請求の範囲】
【請求項１】
ベチバーの根である消臭性および脱臭性の材料を収納できる容器において、当該容器の周囲に空気流通可能な貫通孔を形成し、当該デザイン性の容器の内部にべチバーの根を束ねたもの、あるいは破砕されたベチバーの根を不織布、または織物に包装されているものを収納していることを特徴とするベチバー使用の消臭・脱臭器具。
【請求項２】
請求項１において、空気流通可能な貫通孔が形成された容器は、容器の周囲に１０ミクロンから30ｍｍの多数の貫通孔を持ち、意匠性の形状を持たせるように円形、三角形、四角形、五角形、多角形、その他異形のなどの種々の形状にしており、材質として金属、木材、樹脂、織布であって、１００ｍｌから７０００ｍｌの容積であり、デザイン性を持たせた容器であることを特徴とするベチバー使用の消臭・脱臭器具。
【請求項３】
請求項１において、ベチバーの根はそのまま３０ｍｍから３００ｍｍの径で、長さ１００ｍｍから７００ｍｍの束に固定して、当該デザイン性の容器に収納していることを特徴とするベチバー使用の消臭・脱臭器具。
【請求項４】
請求項１において、ベチバーの根は粉末、または１ｍｍから50ｍｍの切断されたものを袋状に形成された不織布、または織布に収納されて、当該デザイン性の容器に収納されていることを特徴とするベチバー使用の消臭・脱臭器具。
【考案の詳細な説明】
【技術分野】
【０００１】
本考案は、消臭・防臭の機能や、抗菌機能またはアロマテラピー効果を有する器具に関する。
【背景技術】
【０００２】
最近、消臭または抗菌機能を持つ製品が数多く市場に出回っている。
【０００３】
これらの製品は、熊や猫などの動物を象ったものや、美観の良い素焼きの陶器に、消臭剤を入れ、表面から滲み出てくる消臭剤により、部屋の空気を消臭するものである。
【０００４】
このような製品で、芳香を目的とするものであるが、消臭器具を用いたものが特許文献１にある。このベチバー使用した消臭・脱臭器具は、孔を複数側面に形成し、芳香剤の入った容器を組み込むことにより、上部の開口から、または貫通孔から香が放散するものである。
造花を生ける花器として、消臭容器を使用して、その容器にベチバーの根を利用してるものを提案している（特許文献２参照）。しかしこの場合には消臭・抗菌効果は十分でなく、家庭、病院などの広い面積のところに設置する場合には効果が乏しい。
【０００５】
【特許文献１】実開昭６３−１６１５６７号公報
【特許文献２】特願２００５−１５２４２９号公報
【考案の開示】
【考案が解決しようとする課題】
【０００６】
特許文献１に記載の消臭・脱臭器具においては、花器の容器に香料、芳香剤を入れて、香を放散させるものである。また特許文献２では、消臭機能をもたせるために花器にベチバー使用しただけのものであり、茎、根などを固定、収納するものが必要となる。
【０００７】
本考案が解決しようとする課題は、消臭機能または抗菌機能を有し、別に器具や、ベチバーの根を固定するものを用意することなく、室内の脱臭・防臭の効果をもたらすことができる器具を提供することにある。
【課題を解決するための手段】
【０００８】
ベチバーの根である消臭性および脱臭性の材料を収納できる容器において、当該容器の周囲に空気流通可能な貫通孔を形成し、当該デザイン性の容器の内部にべチバーの根を束ねたもの、あるいは破砕されたベチバーの根を不織布、または織物に包装されているものを収納しているベチバー使用の消臭・脱臭器具である。
本考案においては、空気流通可能な貫通孔が形成された容器は、容器の周囲に１０ミクロンから30ｍｍの多数の貫通孔を持ち、意匠性の形状を持たせるように円形の他、三角形、四角形や五角形などの種々の形状で、多角形、異形にしており、材質として金属、木材、樹脂、織布であって、１００ｍｌから７０００ｍｌの容積であり、デザイン性を持たせた容器である。好ましくは１０００〜５０００ｍｌである
この容器に使用するものは、ベチバーの根はそのまま３０ｍｍから３００ｍｍの径で、長さ１００ｍｍから７００ｍｍの束に固定して、当該デザイン性の容器に設置している。
あるいはベチバーの根は１ｍｍから50ｍｍの切断されたものを袋状に形成された不織布、または織布に収納されて、当該デザイン性の容器に収納されているベチバー使用の消臭・脱臭器具である。
【０００９】
ベチバーは、学名がVetiveria zizanoidesと呼ばれるイネ化の植物で、その根は、消臭機能や、抗菌機能を有している。側面に貫通孔が形成された器具、不織布にこのベチバーの根を収納して、あらゆる部屋の場所（病室、介護老人室、ホテル、一般住宅（玄関・居間・寝室・トイレ等））に飾ると、美観に優れ消臭・抗菌効果・アロマテラピー効果が得られる装飾品として使用することができる。
【００１０】
前記貫通孔を塞ぐ不織布を備えるのが望ましい。貫通孔を不織布で塞ぐことにより、ベチバーの根が貫通孔から突出することが防止できるとともに、細切れとなったベチバーの根が部屋の周辺を汚すことを防止できる。
【００１１】
また、不織布は、通気性を有しているため、ベチバーの根の消臭効果および抗菌効果を発揮させることができる。
【００１２】
また、前記ベチバーの根は、袋状に形成された不織布に収納するのが望ましい。このように、不織布を袋状とし、その中にベチバーの根を収納することで、ベチバーの根が貫通孔から突出することが防止できるとともに、細切れとなったベチバーの根が器具の外側に出て、部屋を汚すことが防止できる。
【考案の効果】
【００１３】
本考案によれば次の効果を奏する。
（１）側面に貫通孔が形成され、内部にべチバーの根を備えることにより、消臭・抗菌機能を有し、別に容器内にベチバーの根を固定するものを用意することなく、容器に収納して装飾することができる。
【００１４】
（２）貫通孔を塞ぐ不織布を備えたことにより、ベチバーの根が貫通孔から突出することが防止できるとともに、細切れとなったベチバーの根が容器の外側に出て、容器の周辺を汚すことが防止できる。
【００１５】
（３）不織布を袋状とし、その中にベチバーの根を収納することで、ベチバーの根が貫通孔から突出することが防止できるとともに、細切れとなったベチバーの根が容器の外側に出て、容器の周辺を汚すことが防止できる。
【考案を実施するための最良の形態】
【００１６】
本考案の実施の形態に係る器具を図に基づいて説明する。図１、２、３は、本発明の実施の形態に係る消臭・脱臭器具の斜視図である。図４は、本考案の実施の形態に係る消臭・脱臭器具に使用するベチバーの乾燥根の束の図である。
【００１７】
図１、図２および図３に示すように、消臭・脱臭器具１は、樹脂、木質、金属、織布で形成され、側面に貫通孔２を有している。消臭・脱臭器具１の大きさおよび形状は、高さ１２００〜１５０ｍｍ、幅、あるいは直径が５０〜５００ｍｍの角形、円筒、箱形をしている。消臭・脱臭器具の形状は、側面に貫通孔が形成された有底の容器であれば、四角柱や、八角柱などの多角柱や円柱や箱型でも使用できる。また大きさも設置される部屋や用途に応じて適宜変えてもよい。また、消臭・脱臭器具１は、用途に合わせて柄や文字などを入れるなどして、消臭・脱臭器具１の美観をより向上させることもできる。
【００１８】
貫通孔２は、直径５ｍｍの円形をしており、縦に１０つ程度であり、合計１００〜２０００個ほど形成されている。貫通孔２は、デザイン性を持たせるように円形の他、三角形、四角形や五角形などの種々の形状のもので多角形、異形としてもよく、内部のベチバーの根束に通気可能であればよい。
【００１９】
図４に示すように、消臭・脱臭器具１の内部にベチバーの根が寄せ集めた根束３を納められている。１本のベチバーの根は、直径が約１ｍｍ程度であり、３００ｍｍ程度の長さを有しており、容易に屈曲可能であるため、寄せ集めた根束３を消臭・脱臭器具１の内部に収納することが可能である。
【００２０】
また、寄せ集めたベチバーの根束３は、それぞれの根の間に隙間ができるため、ベチバーの根の間における通気性は十分であり空気中の消臭、脱臭は持続性を持っている。
【００２１】
またベチバーの根を破砕して使用する場合には、図５に示すように、通気性の高い不織布の袋５に収納して使用することができる。この場合消臭・脱臭器具の貫通孔２は、不織布５で塞がれているが、貫通孔２を不織布で塞ぐことにより、破砕したベチバーの根が貫通孔２から突出することが防止できるとともに、破砕されたベチバーの根が消臭・脱臭器具１の外側に出て、消臭・脱臭器具１の周辺を汚すことが防止できる。また、不織布の袋５は、通気性を有しているため、消臭・脱臭器具１の外側と内側で空気の出入りが妨げられることはないので、ベチバーの根の消臭効果および抗菌効果を発揮させることができる。
【００２２】
不織布の袋５は、消臭・脱臭器具１の内面側を全て接着剤などで貼着させてもよいし、貫通孔２から細切れになったベチバーの根３が消臭・脱臭器具１の外側へ出ないように貫通孔２を塞ぐ程度の大きさにして貼着させてもよい。この不織布４の袋５は、消臭・脱臭器具１の内側に収納することが容器の美観の向上で望ましい。
【００２３】
以上のように構成された本発明の実施の形態に係る消臭・脱臭器具の使用状態を図１、図２および図３に基づいて説明する。
【００２４】
まず、寄せ集めたベチバーの根束４（円筒型、角型）を、側面に貫通孔２が形成された消臭・脱臭器具１の内部に収納する。
【００２５】
このように、側面に貫通孔２が形成され、べチバーの根束４を内部に収納した消臭・脱臭器具に、消臭機能を有し、部屋の消臭と装飾のバランスを整えながら設置することができる消臭・脱臭器具とすることができる。
【００２６】
次に、本考案の他の実施の形態に係る消臭・脱臭器具を説明する。図５は、ベチバーの根を袋状の不織布に収納した状態で、図１、図２、図３は、他の本発明の実施の形態に係る消臭・脱臭器具の使用図である。
【００２７】
図５に示すように、袋状の不織布５は、矩形状に形成された袋状をしており、破砕されたペチバーの根が収納されている。袋状の不織布は、多角形状、円形状、球形状、または異形状など、どのような形状であっても、素材を不織布とすれば通気性を有しているので、ベチバーの根の消臭効果および殺菌効果が得られるので、使用することができる。
【００２８】
図５に示すように、この袋状の不織布５にベチバーの根を収納して使用する場合には、消臭・脱臭器具の貫通孔２を塞ぐ不織布は省略することができる。また、袋状の不織布５は、ベチバーの根が細切れになって外にでないように、全てを縫い合わせるなどして接合してもよい。また、不織布の袋５の一部にファスナーのような開閉手段を備えることで、収納した破砕ベチバーの根を容易に取り出すことが可能となる。
【００２９】
この破砕ベチバーの根を入れた不織布袋５は、容易に変形可能なので、消臭・脱臭器具が、円筒形状、多角形状、異形状としても、ベチバーの根を入れた袋を折り曲げたりして収納することができる。また、ベチバーの根を入れた袋を、消臭・脱臭器具に固定する必要がないので、ベチバーの根の消臭効果が薄れた場合など、交換も容易である。
【００３０】
本考案の消臭・脱臭器具は、消臭機能または抗菌機能を有し、使用する部屋などの消臭と装飾とのバランスを整えながら使用することができる消臭・脱臭器具として利用することができる。
【図面の簡単な説明】
【００３１】
【図１】角形消臭・脱臭器具の斜視図。
【図２】円筒形消臭・脱臭器具の斜視図。
【図３】平置形消臭・脱臭器具の斜視図
【図４】消臭・脱臭器具への使用するベチバー根の結束の斜視図（Ａ：角形用、Ｂ：円筒形用）。
【図５】ベチバー根の切断材を収容した不織布の袋体の斜視図と断面図（Ａ：角形用、Ｂ：円筒形用）。
【符号の説明】
【００３２】
１  消臭・脱臭器具 
２   貫通孔（通気孔）
３   ベチバーの根
４   ベチバーの根の結束
５   不織布の袋体
６    切断したベチバー根、茎
７   袋体の断面図
【図１】
0003129157.tif 000003
【図２】
0003129157.tif 000004
【図３】
0003129157.tif 000005
【図４】
0003129157.tif 000006
【図５】
0003129157.tif 000007